(57)【要約】【課題】  任意の物品を陳列展示するなどに使用する汎用性のあるテーブルに関するものである。【解決手段】  天板において、全体が長手方向に緩い弯曲形状に成りかつ左右両側端部２，２が円弧形状に成る基本部材１と、全体が長手方向に緩い弯曲形状に成りかつ一側端部４が円弧形状又は凹円弧形状に成り他側端部５が凹円弧形状に成る連結部材３とを設け、一方部材の円弧形状部を他方部材の凹円弧形状部に接合して天板部を任意方向に連続構成して成る。また、基本部材及び連結部材が前記のような形状に成る各天板を、中心柱８の上下両端部に左右両側方向に開く横杆９，９，９，９を各連設し、この各横杆の外端部には側柱１０，１０を各連設して成る脚体７上に載置する。【選択図】    図１
2010240251.tif 000002
【特許請求の範囲】
【請求項１】
天板において、全体が長手方向に緩い弯曲形状に成りかつ左右両側端部が円弧形状に成る基本部材と、全体が長手方向に緩い弯曲形状に成りかつ一側端部が円弧形状又は凹円弧形状に成り他側端部が凹円弧形状に成る連結部材とを設け、一方部材の円弧形状部を他方部材の凹円弧形状部に接合して天板部を任意方向に連続構成して成ることを特徴とするテーブル。
【請求項２】
天板において、全体が長手方向に緩い弯曲形状に成りかつ左右両側端部が円弧形状に成る基本部材と、全体が長手方向に緩い弯曲形状に成りかつ一側端部が円弧形状又は凹円弧形状に成り他側端部が凹円弧形状に成る連結部材とを設け、一方部材の円弧形状部を他方部材の凹円弧形状部に接合して天板部を任意方向に連続構成し、前記天板を構成する基本部材及び連結部材を透明体にして成ることを特徴とするテーブル。
【請求項３】
基本部材と連結部材とから成る各天板を、中心柱の上下両端部に左右両側方向に開く横杆を各連設し，この各横杆の外端部には側柱を各連設して成る脚体上に載置して成る請求項１または２に記載したテーブル。
【請求項４】
脚体の下端部に上下調節部材を設けて成る請求項１または２に記載したテーブル。
【発明の詳細な説明】
【技術分野】
【０００１】
本発明は、任意の物品を陳列展示するなどに使用する汎用性のあるテーブルに関するものである。
【背景技術】
【０００２】
物品を陳列展示するテーブルには、従来からあまり工夫がこらされているものはなく、次のような公知文献は見られても、店内や会場内において陳列展示する物品に対する客の誘導を考慮したテーブルは存しなかった。
【先行技術文献】
【特許文献】
【０００３】
【特許文献１】実公平５−２３０６３号公報
【特許文献２】実公平５−２３０６４号公報
【特許文献３】実公平６−１８４９４号公報
【特許文献４】実開平４−９６２２５号公報
【特許文献５】登録実用新案第３０４２１２１号公報
【特許文献６】特開平１０−２８６１２５号公報
【特許文献７】特開２００１−１１２５４８号公報
【発明の概要】
【発明が解決しようとする課題】
【０００４】
そこで、本発明は、関係者がいろいろな場所において、各種物品を展示しなければならないとき、２ないし３種類の天板を任意に自由な配置形状に連接して全体を構成し、その配置形状に合わせて各天板下に脚体の位置づけを行うものであるから、天板全体は客の自然な行動線に合わせた方向性のある曲線形状にすることを実現するものである。
【課題を解決するための手段】
【０００５】
本発明は、天板において、全体が長手方向に緩い弯曲形状に成りかつ左右両側端部が円弧形状に成る基本部材と、全体が長手方向に緩い弯曲形状に成りかつ一側端部が円弧形状又は凹円弧形状に成り他側端部が凹円弧形状に成る連結部材とを設け、一方部材の円弧形状部を他方部材の凹円弧形状部に接合して天板部を任意方向に連続構成して成る。
【０００６】
また、本発明は、基本部材及び連結部材が前記のような形状に成る各天板を、中心柱の上下両端部に左右両側方向に開く横杆を各連設し、この各横杆の外端部には側柱を各連設して成る脚体上に載置する。これにより、各天板の左右両側部は、脚体の三点支持によって安定的に載置される。
【０００７】
さらに、前記脚体の中心柱及び両側柱の下端部には調節部材を設ける。
【発明の効果】
【０００８】
例えば物品の陳列展示のために使用する天板は基本部材であろうと連結部材であろうと、その長手方向の全体が緩い弯曲形状に成ることにより、これらが相互に接合して連続構成したときに、天板全体に自然な流動線が形成されるように成るから、天板上の商品を見て歩く客の動線にも自然な流れができるようになり、客にやさしい陳列テーブルとなり、これにより物品等の売上げを増進する効果もあるものとなる。
【０００９】
前記のような形状に成る各天板は、前記形状に成る脚体の上端三点部が支持するから、常に安定性が良好である。
【図面の簡単な説明】
【００１０】
【図１】本発明の一使用例を示すテーブル全体の斜視図
【図２】天板の基本部材の斜視図
【図３】（ａ）（ｂ）は天板の連結部材の各実施例を示す斜視図
【図４】脚体全体の斜視図
【図５】脚体の上端部分の平面図
【図６】図５の正面図
【図７】図５Ａ−Ａ線の断面図
【図８】脚体の下端部分の平面図
【図９】図８Ｂ−Ｂ線の断面図
【図１０】本発明の他使用例を示すテーブル全体の平面図
【図１１】本発明の他使用例を示すテーブル全体の平面図
【図１２】本発明の他使用例を示すテーブル全体の平面図
【発明を実施するための形態】
【００１１】
いろいろな場所において、各種物品を陳列展示しなければならないときは、テーブル全体の形態を念頭におき、使用者の自由な発想によって、２〜３種類から成る本天板の配置を考えながらそれらを相互に連接することになるが、その配置形状に合わせて脚体も各天板の左右両側部下に配置すればよい。
【００１２】
また、広い床面上における脚体の配置においては、若干の高低を調整するために、各脚体の下端部に設けた調節部材を操作してアジャストする。
【００１３】
使用者は、使用目的に合わせて全体を任意形状になるように、各天板を連設することになる。（図１０〜図１２参照）
【実施例】
【００１４】
１は長手方向の全体が緩い弯曲形状に成り，かつ左右両側端部２，２が円弧形状に成る本天板の基本部材であり、その全体は透明体又は不透明体に成る。（図２）
【００１５】
３は長手方向の全体が緩い弯曲形状に成り，かつ一側端部４が円弧形状に成り他側端部５が凹円弧形状に成る本天板の連結部材で、その全体は透明体又は不透明体に成る。（図３（ａ））
【００１６】
６は全体が長手方向に緩い弯曲形状に成り，かつ一側端部５’が凹円弧形状に成り他側端部５’’も凹円弧形状に成る他の連結部材で、その全体は透明体又は不透明体に成る。（図３（ｂ））
【００１７】
前記本天板の基本部材１も連結部材３，６も、その長さや面積などは任意である。
【００１８】
前記連結部材３，６の凹円弧形に成る端部５，５’，５’’は、前記基本部材１の左右両側端部２，２の円弧形部や他の連結部材３の一側端部４の円弧形部に接合し、天板全体の形状ラインを任意の弯曲形状に構成する。（図１０〜図１２参照）
【００１９】
７は脚体で、この脚体は中心柱８の上下両端部に左右両側方向にやや弯曲状に開く横杆９，９，９，９を連設する。
【００２０】
１０，１０は前記脚体７のうち前記中心柱８の左右上下の横杆９，９，９，９の外側部が連結する左右の側柱である。
【００２１】
１１は主継手で、この主継手の上面部には天板受け具１２をパッキング１３を介して下方から螺子１４にて連結する。前記主継手１１上の各受け具１２によって、前記天板の各基本部材１及び連結部材３，６をそれぞれ載置する。
【００２２】
１５は前記主継手１１の一側部下の段部１６に螺子１７にて連結する副継手である。
【００２３】
１８は前記副継手１５の上面部に取付ける螺子で、この螺子は前記脚体７の中心柱８及び側柱１０，１０の各上端部に螺着する。
【００２４】
１９は前記脚体７の中心柱８及び左右両側柱１０，１０の下端部に軸受２０をはさんで底板２１と上板２２にて設置する調節部材で、この調節部材には底板２１の中央部上に立設した軸杆２３を被套した螺軸２４を上板２２を貫通して底板２１に連結する。
【００２５】
前記螺軸２４にはロックナット２５を螺装する。
【００２６】
なお、図示していないが、本天板の下方部には、適当間隔をおいて各脚体間に棚板材を架設しておくこともできる。
【符号の説明】
【００２７】
１                    基本部材
２，２                左右側端部
３                    連結部材
４                    一側端部
５                    他側端部
５’                  一側端部
５’’                他側端部
６                    他の連結部材
７                    脚体
８                    中心柱
９，９，９，９        横杆
１０，１０            側柱
１１                  主継手
１２                  天板受け具
１３                  パッキング
１４                  螺子
１５                  副継手
１６                  段部
１７                  螺子
１８                  螺子
１９                  調節部材
２０                  軸受
２１                  底板
２２                  上板
２３                  軸杆
２４                  螺軸
２５                  ロックナット
【図１】
2010240251.tif 000003
【図２】
2010240251.tif 000004
【図３】
2010240251.tif 000005
【図４】
2010240251.tif 000006
【図５】
2010240251.tif 000007
【図６】
2010240251.tif 000008
【図７】
2010240251.tif 000009
【図８】
2010240251.tif 000010
【図９】
2010240251.tif 000011
【図１０】
2010240251.tif 000012
【図１１】
2010240251.tif 000013
【図１２】
2010240251.tif 000014